(57)【要約】 【課題】本発明は手を触れずに足のペダル操作だけで蓋体が開閉されると共にゴミ袋の口も開閉され、且つ生ゴミの腐敗臭気が外部に漏れにくいゴミ袋開閉手段付きゴミ箱を提供することを目的とする。【解決手段】ペダル操作で蓋体６が開閉されるペダル付きゴミ箱の蓋開閉手段２に、収納するゴミ袋７の口が開閉するゴミ袋開閉手段３を連結する構造とする。またゴミ袋開閉手段３が、ゴミ箱本体１上面部に架設した一対のガイド棒311と、該ガイド棒311に沿って移動可能な可動板312と、それに対向させて取付ける固定板313と、内側に折曲可能な押板314とから構成する開閉作動部材31と、且つ、蓋開閉手段２に連結する一対の作動杆321と、その一端に軸支させる連結杆322と、ワイヤー323と、スプリング324と、複数個のローラー325とから構成する開閉作動伝達部材32とから成されたものにすると良い。【選択図】図１
2005132556.tif 000002
【特許請求の範囲】
【請求項１】
ゴミ箱本体（１）の開口する上面（1a）に設けた蓋体（６）が、蓋開閉手段（２）のペダル（21）を踏むと開かれるペダル付きゴミ箱に於いて、前記蓋開閉手段（２）と連結させると共に前記ゴミ箱本体（１）に収納するゴミ袋（７）の口の開閉が前記蓋体（６）の開閉動作に合せて作動するゴミ袋開閉手段（３）を少なくとも備えたことを特徴とするゴミ袋開閉手段付きゴミ箱。
【請求項２】
前記蓋開閉手段（２）が、前記ペダル（21）に一端を固着し且つ中間部が軸受（23）で軸支される作動アーム（22）と、該作動アーム（22）の他端と回動自在に連結されて上下移動可能な押上棒（24）とから成された請求項１記載のゴミ袋開閉手段付きゴミ箱。
【請求項３】
前記ゴミ袋蓋開閉手段（３）が開閉作動部材（31）と開閉作動伝達部材（32）とから成し、且つ前記開閉作動部材（31）が、前記ゴミ箱本体（１）の上面（1a）部の両側に架設した一対のガイド棒（311）と、該ガイド棒（311）に両端を挿入して取付けた移動可能な可動板（312）と、その可動板（312）に対向させて前記ガイド棒（311）の端部に固定した固定板（313）と、該固定板（313）と前記可動板（312）の間で且つ内側へ折曲可能に取付けた押板（314）とから成され、前記開閉作動伝達部材（32）が、前記押上棒（24）の中間部と一端側をスライド可能に取付けると共に他端を前記ゴミ箱本体（１）に軸支する一対の作動杆（321）と、該作動杆（321）に軸支させる連結杆（322）と、その連結杆（322）の先端に一端を取付けると共に中間部を前記可動板（312）に固定し更に前記ゴミ箱本体（１）側に取付けたスプリング（324）に他端を取付けたワイヤー（323）と、該ワイヤー（323）を受ける複数個のローラー（325）とから成された請求項１記載のゴミ袋開閉手段付きゴミ箱。
【請求項４】
前記可動板（312）と前記固定板（313）に、ゴミ袋（７）の口を固定するための係止具（４）が設けられた請求項１記載のゴミ袋開閉手段付きゴミ箱。
【請求項５】
前記係止具（４）が、前記可動板（312）と前記固定板（313）の上部に溝（41）を設けると共に該溝（41）に挿入してゴミ袋（７）が挟み込まれる回動片（42）を取付けた構造である請求項４記載のゴミ袋開閉手段付きゴミ箱。
【請求項６】
前記ゴミ箱本体（１）の内部に、ゴミ袋（７）を被覆するためのゴミ袋保持ケース（５）が配備され、該ゴミ袋保持ケース（５）の上部に少なくともギャザー部（51）を設けた請求項１記載のゴミ袋開閉手段付きゴミ箱。
【発明の詳細な説明】
【技術分野】
【０００１】
本発明は蓋体をペダルの足踏み操作で開閉する蓋開閉手段と連動させてゴミ袋の口が開閉されるゴミ袋開閉手段付きゴミ箱に関する。
【背景技術】
【０００２】
従来、調理の時に出る野菜や魚などの生ゴミが入れられるゴミ袋を収納する場合、上蓋が足踏み式で開閉するゴミ箱が多く使用されている。このゴミ箱に捨てられ且つ前に入れられた生ゴミを収納しておくと、その生ゴミが腐敗され易いので、次に蓋を開けて生ゴミを捨てる際、蓋を開けるとその開く勢いによって内部に溜まった腐敗臭気が一緒に吐き出されて拡散し、ゴミ投入者は悪臭を直接に嗅ぐことになり、ゴミ投入毎に不快感をあじわっているのが現状である。特に夏場に於いては、生ゴミは非常に腐敗し易いと共に小バエが発生し易くなるので、衛生上好ましいものではなかった。このため、前記ゴミ箱に収納したゴミ袋に生ゴミを投入した後、直ぐにゴミ袋の口を手で閉じ、次回に使用する際に、蓋が開けられた後にゴミ袋の口を手で開けてから新たな生ゴミを投入し、更に生ゴミを投入後、直ぐにゴミ袋の口を手で閉じれば悪臭がかなり拡散されることを防止することが可能である。
【特許文献１】登録実用新案第３０００３６５号公報
【発明の開示】
【発明が解決しようとする課題】
【０００３】
しかしながら、前記ゴミ箱に収納したゴミ袋に生ゴミを投入する前後にゴミ袋の口を手で開閉すると、ゴミ袋の口付近に付着した生ゴミの腐敗した汁やカスの汚れが手に付き易くなるため、ゴミ投入者の手が汚れ、不快で且つ雑菌が繁殖し易く非衛生的であると共にゴミ袋の口を開閉する毎及びその作業中は腐敗臭気を多く吸い続けなければならず、しかもその作業は面倒であるため、通常はゴミ袋の口を手で開閉することは行わず、ゴミ箱に蓋をしているだけのものが大半であるのが現状である。
一方、前記ゴミ箱の改良品として登録実用新案第３０００３６５号がある。このゴミ箱は、ペダルを踏んで蓋体が開かれる方向へ操作した後、全開した蓋体がバタツキを生じるため、このバタツキを抑止するために提案したのものである。従って、本発明のようなゴミ袋の口が手を使用せずに開閉されるものは従来にはなかった。
【０００４】
本発明は手を触れずに足のペダル操作だけで蓋体が開閉されると共にゴミ袋の口も開閉され、且つ生ゴミの腐敗臭気が外部に漏れにくいゴミ袋開閉手段付きゴミ箱を提供することを目的とする。
【課題を解決するための手段】
【０００５】
本発明は上記問題点を解消するために成されたものであり、つまり、ペダル操作で蓋体が開閉されるペダル付きゴミ箱に於ける蓋開閉手段に、収納するゴミ袋の口が開閉するゴミ袋開閉手段を連結させる構造とする。またゴミ袋開閉手段を開閉作動部材と開閉作動伝達部材とから成し、前記開閉作動部材として、ゴミ箱本体の上面部の両側に架設した一対のガイド棒と、該ガイド棒に両端を挿入して取付けると共にゴミ袋の口に一部を取付ける移動可能な可動板と、それに対向させて設けると共にゴミ袋の口に一部を取付ける固定板と、ゴミ袋の口を内側に押入れる折曲可能な押板とから構成し、且つ前記開閉作動伝達部材として、蓋開閉手段に連結する一対の作動杆と、その一端に軸支させる連結杆と、その連結杆の先端に一端を取付けると共に中間部を可動板に固定し更にゴミ箱本体側に取付けたスプリングに他端を取付けたワイヤーと、該ワイヤーを受ける複数個のローラーとから構成すると良い。
【発明の効果】
【０００６】
請求項１のようにペダル操作による蓋開閉手段（２）が設けられたゴミ箱に於いて、蓋開閉手段（２）と連結させると共にゴミ箱本体（１）に収納するゴミ袋（７）の口の開閉が蓋体（６）の開閉動作に合せて作動するゴミ袋開閉手段（３）を少なくとも備えることにより、手を触れずに足のペダル操作だけで蓋体（６）が開閉されると共にゴミ袋（７）の口も開閉することが可能となるため、蓋体（６）を開いた場合、従来の如きゴミ箱本体（１）内部に充満した生ゴミの腐敗臭気が一緒に吐き出されて拡散する恐れがなくなり、ゴミ箱本体（１）の外部に生ゴミの腐敗臭気が漏れにくくなるため、ゴミ投入者は悪臭を殆ど嗅ぐことがなくなって、ゴミ投入毎の不快感もなくなり、衛生上好ましいものとなる。
【０００７】
請求項２のように蓋開閉手段（２）として、ペダル（21）に一端を固着し且つ中間部が軸受（23）で軸支される作動アーム（22）と、その他端と回動自在に連結されて上下移動可能な押上棒（24）とから成すものを用いることにより、蓋体（６）の開閉動作が簡単な構造で確実に行えるものとなると共にゴミ袋開閉手段（３）の駆動部の役目も果たす。
【０００８】
請求項３に示すようにゴミ袋開閉手段（３）が開閉作動部材（31）と開閉作動伝達部材（32）とから成し、前記開閉作動部材（31）として、ゴミ箱本体（１）の上面（1a）部の両側に架設した一対のガイド棒（311）と、それに両端を挿入して取付けた移動可能な可動板（312）と、それに対向させてガイド棒（311）の端部に固定した固定板（313）と、該固定板（313）と可動板（312）の間で且つ内側へ折曲可能に取付けた押板（314）とから構成するものを用い、且つ前記開閉作動伝達部材（32）として、押上棒（24）の中間部と一端側をスライド可能に取付けると共に他端をゴミ箱本体（１）に軸支する一対の作動杆（321）と、それに軸支させる連結杆（322）と、該連結杆（322）の先端に一端を取付けると共に中間部を可動板（312）に固定し更にゴミ箱本体（１）側に取付けたスプリング（324）に他端を取付けたワイヤー（323）と、該ワイヤー（323）を受ける複数個のローラー（325）とから構成されるものを用いることにより、足のペダル操作だけで蓋体（６）の開閉に伴ってゴミ袋（７）の口も開閉する構造となり、更にゴミ袋（７）の口の両側が押板（314）で内側に移動して、ゴミ袋（７）の口が確実に密閉可能となるため、ゴミ袋（７）の口から発散された生ゴミの腐敗臭気がゴミ箱本体（１）内部に充満することがなくなり、蓋体（６）の開閉時に拡散する生ゴミの腐敗臭気が激減されるものとなる。
【０００９】
請求項４に示すように可動板（312）と固定板（313）に、ゴミ袋（７）の口を固定するための係止具（４）を設けることにより、ゴミ袋（７）のセットが容易になると共にゴミ袋（７）の口にシワが寄らずにセットできるので、その口の密閉度が高まるものとなる。
【００１０】
請求項５のように係止具（４）として、可動板（312）と固定板（313）の上部に溝（41）を設けると共に該溝（41）に挿入してゴミ袋（７）が挟み込まれる回動片（42）を取付けた構造とすることにより、ゴミ袋（７）のセットがより早く且つ簡単に行えるものとなると共にゴミ袋（７）の口にシワが寄らずにセットできるので、その口の密閉度が高まるものとなる。
【００１１】
請求項６のようにゴミ箱本体（１）の内部に、ゴミ袋（７）を被覆するためのゴミ袋保持ケース（５）が配備され、該ゴミ袋保持ケース（５）の上部に少なくともギャザー部（51）を設けることにより、生ゴミの汁が漏れてもゴミ箱本体（１）の内部に滲み出る恐れがなくなり、且つゴミ袋（７）と一緒に捨てることも可能なものとなり、ゴミ箱本体（１）の内部が清潔に維持出来るため、保守管理が簡単なものとなる。
【発明を実施するための最良の形態】
【００１２】
図１〜図３は本発明の実施形態を示す図であり、これに基づいて説明する。（１）は上面（1a）が開口された合成樹脂製のゴミ箱本体であり、該ゴミ箱本体（１）の下方には脚部（1c）が設けられている。尚、前記ゴミ箱本体（１）の材質は合成樹脂製に限定されるものではない。又、その形状や大きさは図示したものに限定されるものではない。（２）はゴミ箱本体（１）の下部に配置したペダル操作で蓋体（６）を開閉するための蓋開閉手段であり、該蓋開閉手段（２）は、ペダル（21）に一端を固着し且つ中間部が軸受（23）で軸支される長尺で金属製の作動アーム（22）と、該作動アーム（22）の他端と回動自在に連結されて上下移動可能で金属製の押上棒（24）とから成されている。前記軸受（23）はゴミ箱本体（１）に固着され、前記押上棒（24）はゴミ箱本体（１）の背面（1b）側に設けられている。尚、前記蓋開閉手段（２）の材質は金属製に限定されるものではなく、耐摩耗性や強度があれば、他の材質のものでも良い。また前記蓋開閉手段（２）の構造は上記のものに限定されるものではない。
【００１３】
（３）は蓋開閉手段（２）と連動するゴミ袋開閉手段であり、該ゴミ袋開閉手段（３）には開閉作動部材（31）と開閉作動伝達部材（32）がある。先ず開閉作動部材（31）の構造について説明する。この開閉作動部材（31）は、ゴミ箱本体（１）の上面（1a）部の両側に沿って架設した一対で金属製のガイド棒（311）と、該ガイド棒（311）に両端を挿入し且つゴミ箱本体（１）の背面（1b）側に取付けた移動可能な可動板（312）と、その可動板（312）に対向させて各前記ガイド棒（311）の端部に固定した固定板（313）と、該固定板（313）と前記可動板（312）の端部の間で且つ内側へ折曲可能に取付けた一対の押板（314）とから成している。又、前記可動板（312）にはガイド棒用スリーブ（312a）が図４に示すように設けられており、また前記押板（314）は可動板（312）の移動時に接触しないように該可動板（312）よりも下方に取付けられている。次に開閉作動伝達部材（32）の構造について説明する。この開閉作動伝達部材（32）は、押上棒（24）の中間部と一端側をスライド可能に取付けると共に他端を前記ゴミ箱本体（１）に軸支する一対で金属製の作動杆（321）と、該作動杆（321）に軸支させる金属製の連結杆（322）と、その連結杆（322）の先端に一端を取付けると共に中間部を前記可動板（312）に固定し更に前記ゴミ箱本体（１）側に取付けたスプリング（324）に他端を取付けた釣糸や細い紐或いは線材等のワイヤー（323）と、該ワイヤー（323）を受ける複数個のローラー（325）とから成している。また前記作動杆（321）には長穴（321a）が穿設されており、この長穴（321a）が押上棒（24）に固定した軸とスライドする。又、前記ローラー（325）は前記ゴミ箱本体（１）の略上面四隅に配置させておくと良い。尚、前記ゴミ袋開閉手段（３）の材質は上記のものに限定されるものではなく、且つゴミ袋開閉手段（３）の構造が、可動板（312）と固定板（313）を移動可能にさせると共に中央部で密着させてゴミ袋（７）の口を閉じるものとしても良い。
【００１４】
（４）は可動板（312）と固定板（313）に設けた係止具であり、該係止具（４）としては、可動板（312）と固定板（313）の上部に溝（41）を設けると共に該溝（41）に挿入してゴミ袋（７）の口を挟み込む回動片（42）を取付けた構造のものと［図４（ａ）参照］、対向側の裏面に複数の係止用突起（43）と、該係止用突起（43）に挿入する穴（44a）を有した袋用押板（44）とから成るものとがある［図４（ｂ）参照］。尚、前記可動板（312）と固定板（313）の間に図示しないパッキンを取付け、ゴミ袋（７）を閉じた時の密閉度を向上させるものとしても良い。（５）はゴミ箱本体（１）の内部に配備するゴミ袋保持ケースであり、該ゴミ袋保持ケース（５）としては、一般に使用されるポリ容器を用いれば良いが、図６に示すような上部にギャザー部（51）を設け、係止具（４）に取付けられる上縁部（52）を取付けた袋状のものを用いても良い。（６）はペダル（21）を踏むと開かれ且つゴミ箱本体（１）の上部と回動自在に支持された蓋体であり、該蓋体（６）はゴミ箱本体（１）の上面（1a）を覆って密閉する。尚、前記蓋体（６）はゴミ箱本体（１）の上部に外嵌するものとしても良い。
【００１５】
本発明の作用を図７に基づいて説明する。予めゴミ袋（７）の口の一方を可動板（312）の係止具（４）に取付けて固定し、他方を固定板（313）の係止具（４）に取付けて固定しておく。先ず始めに生ゴミを捨てる場合には、ペダル（21）を足で踏む。すると、作動アーム（22）の先端が（ａ）のように持上がり、押上棒（24）を持上げて蓋体（６）が開かれる。この時、押上棒（24）の中間部に取付けた作動杆（321）の一端が持上げられると、（ｂ）に示すように連結杆（322）の先端は下に向かって回転し、ワイヤー（323）が引張られる。このワイヤー（323）によって可動板（312）は（ｃ）に示す矢印のように移動し、ゴミ袋（７）の口が開かれる。そしてゴミ袋（７）の内部に生ゴミを投入すれば良い。この時、本発明に於いては、ゴミ袋（７）の口が開かれる際には、ゴミ袋（７）の上方の容積が増加するため、内部が減圧状態となり、外部から内部に空気を流し込む現象が生じる。従って、ゴミ袋（７）の内部に充満する生ゴミの腐敗臭気が従来の如き一気に発散されずに済むと共に新たに投入した生ゴミによって腐敗した生ゴミが覆われた状態となるので、悪臭の噴出は押さえられ、ゴミ投入者が悪臭を殆ど嗅ぐことがなくなるのである。
【００１６】
ゴミ投入後、足をペダル（21）から離すと、作動アーム（22）の先端が下がり、蓋体（６）が自重で下がってゴミ箱本体（１）の上面（1a）を覆って塞ぐのである［図７（ｆ）参照］。この時、押上棒（24）が押下げられると共に押上棒（24）の中間部に取付けた作動杆（321）の一端が下がり、且つ連結杆（322）の先端は（ｆ）に示す矢印のように持上げられ、ワイヤー（323）の先端に取付けたスプリング（324）の弾性力によって、可動板（312）に取付けたワイヤー（323）が引戻され、可動板（312）は（ｄ）のように元の位置に向って戻される。この際、可動板（312）が引戻されながら、押板（314）を内側へ折曲させれつつゴミ袋（７）の口が内側へ寄せられて閉じる。そして可動板（312）が（ｅ）に示すように固定板（313）と当接してゴミ袋（７）の口を閉じるのである。このため、ゴミ袋（７）の口の一部が外側へ広がる恐れがなく、確実に内側へ寄せられてゴミ袋（７）の口が閉じ、ゴミ箱本体（１）の内部には、従来の如き生ゴミの腐敗臭気が溜まることが激減されるのである。このように本発明はゴミ袋（７）の口が閉じられた状態で次の生ゴミの投入を待つので、ゴミ箱本体（１）の内部に生ゴミの腐敗臭気が充満しないのである。また本発明は手を触れずに足のペダル操作だけで蓋体（６）の開閉動作に合せてゴミ袋（７）の口の開閉動作も行えるものとなるのである。その後、ゴミ袋（７）が一杯になった時、或いはゴミの回収日には、ゴミ袋（７）の口を係止具（４）から外し、ゴミ袋（７）をゴミ袋保持ケース（５）から取り出し、そのゴミ袋（７）の口を閉じて結び、それをゴミ回収所へ持って行けば良い。尚、前記ゴミ袋保持ケース（５）が図６に示すものを用いた場合、その内部に汁が溜まった時や、上縁部（52）が損傷された時などには、ゴミ袋（７）と一緒にゴミ袋保持ケース（５）も処分すると良い。
【００１７】
次に本発明品と従来品を使用した場合の生ゴミ投入時に於いて、腐敗臭気がどの程度なのか比較する。先ず始めに略同容量の開閉蓋付きゴミ箱を用意し、その内部にゴミ袋（７）をセットしておく。次に実験条件として朝８時半，昼１時，夜７時に設置場所（台所）の温度を測定し、各時間毎に蓋体（６）を開き、生野菜や魚の生ゴミなどを半分にし、各ゴミ箱に投入すると共に腐敗臭気を確認した。この臭気の評価は５段階とし、1)ない，2)殆どない，3)やや臭う，4)臭う，5)かなり臭うとした。また実験経過は４日間とした。この４日間とした理由としては、一般にゴミの回収が週に２回から３回あり、生ゴミを４日間放置することは余りないためである。
【００１８】
（表１）
日  時      温  度        本  発  明  品        従  来  品  
第１日目  朝        ２１℃            ない                ない    
昼        ２２℃            ない                ない  
夜        ２３℃            ない                ない    
第２日目  朝        ２３℃            ない              やや臭う  
昼        ２５℃            ない              やや臭う
夜        ２６℃            ない              やや臭う  
第３日目  朝        ２４℃          殆どない              臭う
昼        ２６℃          殆どない              臭う    
夜        ２５℃          殆どない              臭う    
第４日目  朝        ２３℃          殆どない            かなり臭う
昼        ２６℃          殆どない            かなり臭う
夜        ２５℃          殆どない            かなり臭う
【００１９】
このように本発明品を用いると、生ゴミの投入時に蓋体（６）が開かれても、ゴミ箱本体（１）からの腐敗臭気が殆どしないため、生ゴミの投入が気持ち良く行えるものとなる。特に生ゴミを朝に投入する際は、朝の爽やかさが邪魔されずに気持ち良く投入することが可能なものとなる。
【図面の簡単な説明】
【００２０】
【図１】本発明の実施形態の要部構造を示す説明図である。
【図２】本実施形態の横断面である。
【図３】本実施形態の縦断面図である。
【図４】本実施形態の係止具を示す説明図である。
【図５】本実施形態のゴミ袋開閉手段の開閉作動部材を示す説明図である。
【図６】本実施形態のゴミ袋保持ケースを示す説明図である。
【図７】本発明の作用を示す説明図である。
【符号の説明】
【００２１】
１  ゴミ箱本体
1a  上面
２  蓋開閉手段
21  ペダル
22  作動アーム
23  軸受
24  押上棒
３  ゴミ袋開閉手段
31  開閉作動部材
311  ガイド棒
312  可動板
313  固定板
314  押板
32  開閉作動伝達部材
321  作動杆
322  連結杆
323  ワイヤー
324  スプリング
325  ローラー
４  係止具
41  溝
42  回動片
５  ゴミ袋保持ケース
51  ギャザー部
６  蓋体
７  ゴミ袋
【図１】
2005132556.tif 000003
【図２】
2005132556.tif 000004
【図３】
2005132556.tif 000005
【図４】
2005132556.tif 000006
【図５】
2005132556.tif 000007
【図６】
2005132556.tif 000008
【図７】
2005132556.tif 000009